(57)【特許請求の範囲】
【請求項１】
股間部位にて任意方向に開脚作動可能、かつ着脱可能な左右の脚部を備え、
該左右の脚部は、夫々上脚と下脚と足部とからなり、
上脚は、脚長さ方向で前後に二分割した上脚本体と、
該一方の上脚本体内に着脱可能に内装されると共に、他方の上脚本体を嵌合して連結する嵌合連結部材と、
上脚本体上端にて回動可能に備えられる股間連結部材とからなり、
一方の上脚本体は、外面に非貫通状に備えた筒状の股間連結部材用ネジ止め部と板状部固定用ネジ止め部を、夫々上脚本体内の上端側とその他の内面所望箇所に突設し、
他方の上脚本体は、嵌合連結部材と嵌合して連結する嵌合部をその内面に備え、
股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、
嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、
該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成していることを特徴とする人形。
【請求項２】
上胴部と腰部および左右の脚部とが分解・組み立て可能で、
腰部は上胴部連結空間と左右の脚部連結空間とを備えて一体成形されると共に、左右の脚部の係止片を回動可能に連結する脚部連結構造と、上胴部を着脱可能に連結する上胴部連結構造を有し、
該脚部連結構造は、一体成形された腰部本体の股間位置内面に設けた係止部と、該係止部と合致して上記脚部の係止片を回動可能に係止保持する係止部を有する着脱可能な押え部材とからなり、かつ該押え部材の頂面には上胴部の連結部を立設して上胴部連結構造を兼ねており、
上記左右の脚部は、夫々上脚と下脚と足部とからなり、
上脚は、脚長さ方向で前後に二分割した上脚本体と、
該一方の上脚本体内に着脱可能に内装されると共に、他方の上脚本体を嵌合して連結する嵌合連結部材と、
上脚本体上端にて回動可能に備えられる股間連結部材とからなり、
一方の上脚本体は、外面に非貫通状に備えた筒状の股間連結部材用ネジ止め部と板状部固定用ネジ止め部を、夫々上脚本体内の上端側とその他の内面所望箇所に突設し、
他方の上脚本体は、嵌合連結部材と嵌合して連結する嵌合部をその内面に備え、
股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、
嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、
該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成している
ことを特徴とする人形。
【請求項３】
嵌合連結部材の板状部は、板長さ方向に複数個のネジ穴を設けると共に、該夫々のネジ穴上端には、該ネジ穴と穴中心軸方向に連通する貫通穴を有した嵌合突起を設け、
そして前後に二つ割された内の一方の上脚本体は、上記板状部のネジ穴を連通させると共に、板状部のネジ穴上方からネジ止めして板状部を内装固定する外面に非貫通状の複数個の板状部固定用ネジ止め部をその内面に設け、他方の上脚本体は、上記板状部の嵌合突起を嵌合して一方の上脚本体を嵌合連結する嵌合凹部をその内面に突設してなることを特徴とする請求項１または２のいずれかに記載の人形。
【請求項４】
嵌合連結部材は、板状部と、第一連結部と、第二連結部を一体成形してなり、板状部は、第二連結部の基端から段差を設けて一体的に延設すると共に、該板状部の他端を、第一連結部の筒円中心若しくはその近傍に連結したことを特徴とする請求項１乃至３のいずれかに記載の人形。
【発明の詳細な説明】
【０００１】
【発明の属する技術分野】
本発明は、左右の脚部が腰部の股間位置にて可動可能で、かつ左右の脚部における夫々の上脚が、脚長さ方向で二つ割された前後の上脚本体からなる人形の新規構造に関する。
なお、本明細書において、「上脚」とは、脚の付け根（腰部股間位置との連結部）から膝までをいい、「下脚」とは、膝から足首までをいい、「足部」とは足首から先端（指先）までをいうものとする。
【０００２】
【発明の技術的背景】
昨今の人形業界において、特にフィギュアと称される人間の身体（裸体）形態を忠実に模写した構成を有する人形にあっては、脚部や腰部などの各部位の人間的な動きが表現できる構成とすることは勿論のこと、外表面（肌面）の身体的リアルさも要求されているのが現実である。
すなわち、より人間の身体的な特徴、例えば脚部又は腰部における臀部分の肌感なども人間の脚部や臀部分と変わらないものとしたいと欲しているものである。これは、例えば、特に水着を着用させたり、あるいは衣裳などを着替えさせたりする度に、脚部や腰部などの肌を露出させる度合いの高い女性を模写したフィギュアにあっては極めて重要であり、需要者の要求が高く、かつ当業者の追求する要素でもある。
【０００３】
【従来の技術】
この種のフィギュアの従来構成の一例として図１５および図１６を参照して説明する。
従来のフィギュアは、脚部３００における上脚３０１の上端位置に備えていた股間連結部材（図示省略）を、腰部１００の股間位置に回動可能に連結させていた。この股間連結部材は、脚部長さ方向で二つ割された前後の上脚本体３０２，３０２の上端の内面に設けた夫々の嵌合穴に股間連結部材のボールジョイント（図示省略）を摺動自在に嵌め込んで構成されている。
そして、この前後の上脚本体３０２，３０２は、接着若しくは溶着により両方を固定するか、または上脚本体３０２，３０２を外部からネジ５０１を介してネジ止め固定していたものが提供されている。
【０００４】
【発明が解決しようとする課題】
しかし、上脚本体３０２，３０２を前後に二つ割する構成を採用する場合、従来の構造では次のような課題を抱えていた。
▲１▼ネジ止め構造を有する形態における問題点
脚部３００の外表面（肌表面）に、ネジ５０１およびネジ穴５０２が露出（図１５参照）しているものにあっては、このようなネジ５０１やネジ穴５０２が現実の人間の女性には到底存在しないもので、外観上の美観を損ね、リアルさに欠けていたため、人間の女性と同様の肌感をフィギュアにも求める需要者にとっては改良の要求が高いものである。
▲２▼接着若しくは溶着構造を有する形態における問題点
需要者は、フィギュアに色々なポーズを求めて無理な動作をさせることが多々ある。これにより、例えば、股間部位にて脚部３００に無理な動作をさせた結果、股間連結部材のボールジョイントが外れたり、または折れて破損したりする事態が生じ得る。
このような場合、従来技術では、完成されたフィギュアの上脚３０１が、前後の上脚本体３０２，３０２同士を接着または溶着することにより分解不能に固着していたため、上述の通り股間連結部材のボールジョイントが外れたり、または折れて破損したりした場合に、需要者が補修・交換など成し得ないという不具合があった。
▲３▼上記接着・溶着とネジ止めの両形態における共通する問題点
さらに、従来技術では、上述した通り、股間連結部のボールジョイントを前後の上脚本体３０２，３０２上端内面の嵌合穴で摺動自在に嵌合連結して上脚３０１を任意方向に開脚自在に連結するものとしていたため、その連結部位に渋み（連結部部位における回動硬さ）がなく、またその調整構造もなかった。従って、脚部３００と腰部１００との連結部分でふらつき、フィギュアを起立させることが瞬時に成し得ず、また特に中腰状態をフィギュアに望むことは従来のこのような構造では上述の通り渋み調整ができなかったため到底無理であった。このように渋みの調整ができないと、上記立ち形態以外の形態、例えば需要者が思い思いのポーズを人形に取らせたいと思っても、脚部３００と腰部１００の股間位置との連結部分でふらつき易いため、そのポーズ形態によってはその状態を維持することができず、面白味に欠け、商品価値の低下にもつながっている。
【０００５】
また、腰部１００の構造についても従来技術を改良する課題があり、以下その問題点についても図１５乃至図１７を参照して説明する。
腰部１００は、前後に二つ割された腰部分片１０１，１０２が採用されていた。
そして該二つ割された前後の腰部分片１０１，１０２を合わせてネジ止め固着する際に、上胴部２００側の係止片（図示省略）と左右の脚部３００側の係止片（図示省略）を、両腰部分片１０１，１０２の合わせ面における係止箇所にて回動可能に連結しているものが知られていた。
しかし、従来のフィギュアにあっては、上述の通り、腰部１００と上胴部２００および左右の脚部３００を分解組み立て可能とすることから、二つ割された腰部分片１０１，１０２をネジ止めして分解可能に固着するものであったため、固着した際に必然的に生じる合わせ目の線（接合線ともいう）４００が腰部１００の肌外表面に露呈しており、外観上の美観・リアルさに欠けていた（図１６参照）。
さらに、前後の腰部分片１０１，１０２がネジ５０１を介してネジ止めされるため、前後いずれかの腰部分片１０１，１０２の外表面には、必然的にネジ穴５０２が設けられる構造となる。このような構造では、そのネジ５０１およびネジ穴５０２が需要者の視覚に入るため、上述した脚部の場合の不具合と同様にフィギュア全体としての外観上の美観を損ね、リアルさは到底得られていなかった（図１５および図１７参照）。
【０００６】
また、需要者は、上胴部分２００や脚部分３００などの各部分（パーツともいう）を別の形態のパーツに適宜組み替えたいと欲することもあり、また洋服や装備（コスチュームともいう）などの小物を着せ替えたり・付け替えたりする場合に、各パーツを分解する必要性が出てくる。
このような場合に、上述した従来技術では、腰部１００と上胴部２００および左右の脚部３００を、需要者が分解するにあたっては、上述した腰部１００のネジ５０１を、わざわざ外して腰部１００を腰部分片１０１，１０２に分解した後、該腰部分片１０１，１０２に係止されていた夫々の係止片を外して上胴部２００と左右の脚部３００を分離し、他のパーツに組み替えたり、洋服などを着せ替えたりしていた。
従って、このような従来技術は、腰部１００と上胴部２００および左右の脚部３００を分解組み立て可能であるとはいっても、現実には自由かつ容易に分解できる構造ではなく、その度に上述のような面倒かつ煩わしい作業をしなければならなかった。
さらに、腰部１００、上胴部２００、左右脚部３００を組み立てる場合には、腰部分片１０１，１０２の夫々の係止箇所に上胴部２００の係止片および左右脚部３００の係止片を夫々同時に係止させつつネジ５０１で腰部分片１０１，１０２を固着一体化させて組み立てなければならなっかった。この場合、上胴部２００の係止片および左右脚部３００の係止片がずれないように気を付けながらネジ止めしなければならず、その作業が面倒かつ煩わしく、他のパーツへの組み替えやコスチュームの着せ替え等に適した構成ではなかった。
【０００７】
また、このようにネジ止め固着するタイプの腰部構造にあっては、ネジ止め構造部分５００が腰部１００の上胴部連結空間６００に位置してしまうため、必然的に上胴部２００の回動スペースが狭小となってしまう。
リアルさを追求すると、腰部１００と上胴部２００との一体感を醸し出す関係上、腰部１００の上縁と上胴部分２００の下縁とが摺接するように連結されるのが好ましく、このためには腰部１００の上胴部連結空間６００内で上胴部２００が回動可能とする連結構造が採用される。
しかし、上述の通り、その空間６００が狭小では、上胴部２００の回動範囲が極端に制限され、リアルな腰の動き、上胴部２００と腰部１００との関節部分のリアルな屈曲作動が十分に得られないという不具合も生じていた。
【０００８】
また、従来構成の中には、腰部を一体成形し、上述のような接合線４００を外表面に生じさせないものもあった。しかし、この従来構成は、左右の脚部の基端側、若しくは上胴部の下端に突設した夫々の連結部を、腰部に設けた各対象嵌合穴に押込み嵌合せしめる構成とするか、あるいは、脚部の基端側同士を弾性材、例えばゴムひもなどで連結した構成であったため、基本的には左右の脚部３００を分離可能とするものではなく、対象を異にするものである。
【０００９】
本発明は、従来技術の有するこのような問題点に鑑みなされたもので、その目的とするところは、二つ割された上脚本体を使用する場合であっても可能な限り肌表面のリアルさを表現しつつ、脚部分や腰部分において人間的なリアルな動きが表現できる分解組み立て可能な人形を提供することである。
【００１０】
【課題を解決するための手段】
上記目的を達成するために本発明がなした技術的手段は、股間部位にて任意方向に開脚作動可能、かつ着脱可能な左右の脚部を備え、該左右の脚部は、夫々上脚と下脚と足部とからなり、上脚は、脚長さ方向で前後に二分割した上脚本体と、該一方の上脚本体内に着脱可能に内装されると共に、他方の上脚本体を嵌合して連結する嵌合連結部材と、上脚本体上端にて回動可能に備えられる股間連結部材とからなり、一方の上脚本体は、外面に非貫通状に備えた筒状の股間連結部材用ネジ止め部と板状部固定用ネジ止め部を、夫々上脚本体内の上端側とその他の内面所望箇所に突設し、他方の上脚本体は、嵌合連結部材と嵌合して連結する嵌合部をその内面に備え、股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成している。
また、上胴部と腰部および左右の脚部とが分解・組み立て可能で、腰部は上胴部連結空間と左右の脚部連結空間とを備えて一体成形されると共に、左右の脚部の係止片を回動可能に連結する脚部連結構造と、上胴部を着脱可能に連結する上胴部連結構造を有し、該脚部連結構造は、一体成形された腰部本体の股間位置内面に設けた係止部と、該係止部と合致して上記脚部の係止片を回動可能に係止保持する係止部を有する着脱可能な押え部材とからなり、かつ該押え部材の頂面には上胴部の連結部を立設して上胴部連結構造を兼ねており、上記左右の脚部は、夫々上脚と下脚と足部とからなり、上脚は、脚長さ方向で前後に二分割した上脚本体と、該一方の上脚本体内に着脱可能に内装されると共に、他方の上脚本体を嵌合して連結する嵌合連結部材と、上脚本体上端にて回動可能に備えられる股間連結部材とからなり、一方の上脚本体は、外面に非貫通状に備えた筒状の股間連結部材用ネジ止め部と板状部固定用ネジ止め部を、夫々上脚本体内の上端側とその他の内面所望箇所に突設し、他方の上脚本体は、嵌合連結部材と嵌合して連結する嵌合部をその内面に備え、股間連結部材は、上記股間連結部材用ネジ止め部に挿通穴を介して上脚本体に回動可能かつ着脱可能に連結される上脚側連結片と、該連結片から一体的に延設され股間部位に回動可能かつ着脱可能に連結される係止片とを備え、嵌合連結部材は、一方の上脚本体内面所望箇所に突設した板状部固定用ネジ止め部のネジ穴に連通するネジ穴を有し、そのネジ穴上方からネジ止めして上脚本体内に一体的に内装されると共に、他方の上脚本体内面の嵌合部と嵌合する嵌合部を該他方の上脚本体と対向する面側に設けてなる板状部と、該板状部の一端に備えられ、下脚を回動可能かつ着脱可能に連結する第一連結部と、該板状部の他端にフランジ状に備えられ、上記上脚本体上端側の股間連結部材用ネジ止め部に挿通穴を介して連結すると共に上記股間連結部材の上脚側連結片と摺接状に配される第二連結部を備え、該第二連結部は、股間連結部材用ネジ止め部外径に、股間連結部材の上脚側連結片の挿通穴を嵌挿した後に、自己の挿通穴を上記ネジ止め部外径に嵌挿し、上記上脚側連結片の上下面を一方の上脚本体周縁面と第二連結部の摺接面とで挟み込むように密着させると共に、ネジ止め連結されることで肌表面に露出しない渋み調整部を構成している。
そして、上記板状部は、板長さ方向に複数個のネジ穴を設けると共に、該夫々のネジ穴上端には、該ネジ穴と穴中心軸方向に連通する貫通穴を有した嵌合突起を設け、そして前後に二つ割された内の一方の上脚本体は、上記板状部のネジ穴を連通させると共に板状部のネジ穴上方からネジ止めして板状部を内装固定する外面に非貫通状の複数個の板状部固定用ネジ止め部をその内面に設け、他方の上脚本体は、上記板状部の嵌合突起を嵌合して一方の上脚本体を嵌合連結する嵌合凹部をその内面に突設してなる。
また、嵌合連結部材は、板状部と、第一連結部と、第二連結部を一体成形してなり、板状部は、第二連結部の基端から段差を設けて一体的に延設すると共に、該板状部の他端が、第一連結部の筒円中心若しくはその近傍に連結されている。
【００１１】
【発明の実施の形態】
以下、本発明の一実施形態を図に基いて説明する。
なお、以下に説明する実施形態は、本発明の一実施形態にすぎず、何等これに限定解釈されるものではない。
【００１２】
図１は本発明人形（頭部は省略した）の一実施形態を示す全体正面図、図２は分解正面図、図３は一方の上脚本体を外すと共に、他方の上脚本体の一部を切り欠いた上脚の一実施形態を示す斜視図、図４は一方の上脚本体を外した状態の平面図、図５の（ａ）は図４のＡ−Ａ線断面図、（ｂ）は図４のＢ−Ｂ線断面図、図６は嵌合連結部材の一実施形態を示す斜視図、図７は、本発明人形の腰部構造を採用した一実施形態における分解斜視図、図８乃至図１４は腰部の図で、図８は腰部の正面図、図９は腰部の背面図、図１０は腰部の平面図、図１１は腰部の底面図、図１２は腰部の左側面図（右側面図は同一のため省略）、図１３は図８のＣ−Ｃ線断面図、図１４は図１０のＤ−Ｄ線断面図を示す。
図中、１は腰部、２２は上胴部、２４は左右の脚部、３６は左右の腕部、３７は左右の手部、３８は首部を示し、上記各部は、夫々分解・組み立て可能（図２参照）で、その接合部位にて任意に回動作動と屈曲作動のいずれか若しくは双方が可能である。また、各部の材質は特に限定解釈されず任意に選択可能である。なお、本発明において、例えば上胴部２２、左右の腕部（手部３７を含む）３６、首部３８などの構造は、特に図示形態に限定解釈されるものではなく、本発明の範囲内で適宜必要に応じて他の形態・構成を採用することが可能である。また、本実施形態では、左右の足部３１、左右の腕部３６、左右の手部３７、首部３８などがすべて分解・組み立て可能な構成（図２参照）としているが、これには特に限定されず本発明の範囲内で変更可能である。また、本実施形態では、上胴部２２を腹部２２ａと胸部２２ｂの二部構成とし、この腹部２２ａと胸部２２ｂの連結箇所も回動可能に連結されている形態をもって説明するが、腹部２２ａと胸部２２ｂが一体である形態であっても良い。
さらに言うまでもないが、本実施形態では特に肌の露出度合いが高いという点から人間の女性裸体を模写したものであるが、人間の男性裸体を模写した構成であってもよいことは勿論である。
【００１３】
まず、左右の脚部２４，２４の構造について図面を参照して説明する。
脚部２４は、上脚２５と下脚３０と足部３１とから構成され、上脚２５の付け根位置が腰部１の股間位置にて任意方向に開脚作動可能、かつ着脱可能に連結されている。脚部２４を構成する上脚２５、下脚３０、足部３１の外観形状、すなわち肌感等（例えば筋肉の盛り上がり、女性的なライン、肌表面の色合いなど）は特に限定して解釈されるものではなく、本発明の範囲内で適宜設計変更可能である。
【００１４】
上脚２５は、脚長さ方向で前後に二分割した２つの上脚本体２５ａ，２５ｂを組合わせて使用し、上脚２５内には、嵌合連結部材３３を内装すると共に、股間連結部材３２を上端側に備えてなり、この上脚構造によれば、人形の上脚外表面、すなわち肌表面にネジおよびネジ穴を露出することなく前後の上脚本体２５ａ，２５ｂ同士を分解・組み立て自在に連結し、肌表面のリアルさをできる限り人間に近づけることができる。具体的な構成は次の通りである。
【００１５】
一方の上脚本体２５ａは、その内面長さ方向に並設させて第一の板状部固定用ネジ止め部２６、第二の板状部固定用ネジ止め部２７を設け、そして上端側（付け根位置側）内面にも同様の構成の股間連結部材用ネジ止め部２８を設けている。
第一の板状部固定用ネジ止め部２６、第二の板状部固定用ネジ止め部２７、および股間連結部材用ネジ止め部２８は、上端にネジ挿入口２６ａ，２７ａ，２８ａを有すると共に、外面に非貫通状なネジ穴２６ｂ，２７ｂ，２８ｂを設けた所望高さ・所望径の短筒状に突設されている。
なお、この股間連結部材用ネジ止め部２８は、第一・第二の板状部固定用ネジ止め部２６，２７よりも、その上端を高い位置となるように構成されている。
詳しくは、後述する股間連結部材３２の上脚側連結片３２ｃと、嵌合連結部材３３の第二連結部３３ｅを嵌挿した時に、上記ネジ止め部２８の上端２８ｃが上記第二連結部３３ｅの上面３３ｅ′と面一若しくは第二連結部３３ｅの上面３３ｅ′よりも低く位置する程度の高さ寸法で形成されている（図５（ａ）参照）。
また、第一・第二の板状部固定用ネジ止め部２６，２７は、嵌合連結部材３３の板状部３３ａができる限り上脚の幅方向中心に配置されるよう第二連結片３３ｅの基端３３ｇから段差をもって形成されるため、その上端２６ｃ，２７ｃが板状部３３ａの裏面３３ａ″を接触支持する高さをもって形成される。なお、本実施形態では、第一・第二の板状部固定用ネジ止め部２６，２７の位置決め用の溝３３ｈを裏面３３ａ″に設けている。
他方の上脚本体２５ｂは、一方の上脚本体２５ａと組合わせた時に、上記第一の板状部固定用ネジ止め部２６と第二の板状部固定用ネジ止め部２７と同軸上に位置する嵌合凹部２９，２９をその内面に突設してなる。
この嵌合凹部２９は、嵌合連結部材３３の板状部３３ａの一面（上脚本体２５ｂ対向面）３３ａ′に突設される嵌合突起３３ｃを筒部内径２９ａに嵌合せしめることで、前後の上脚本体２５ａ，２５ｂ同士を着脱可能に連結固定する役目を有している。
なお、本実施形態では、板状部３３ａの嵌合突起３３ｃを、嵌合凹部２９の筒部内径２９ａに嵌め込む構成としているが、板状部３３ａの嵌合突起３３ｃの貫通穴３３ｃ′に嵌まり込むような突起を他方の上脚本体２５ｂ内面に突設する構成としてもよい。
【００１６】
股間連結部材３２は、腰部１の股間部位に回動可能かつ着脱可能に連結される係止片３２ａと、上脚本体２５ａの上端側に連結される上脚側連結片３２ｃとからなり、上脚側連結片３２ｃは、挿通穴３２ｄを設けたフランジ板状に形成されると共に、係止片３２ａと一体的に備えられている。
本実施形態では、薄肉円板状に形成されると共に、その円板中心位置に挿通穴３２ｄを設けた上脚側連結片３２ｃと、該上脚側連結片３２ｃの外周から、該連結片３２ｃの径方向外方に突設される桿部３２ｂと、該桿部３２ｂ先端を軸中心に連結し一体成形されている小径円板状の係止片３２ａとから構成されている。
そして、この股間連結部材３２における上脚側連結片３２ｃの挿通穴３２ｄは、上脚本体２５ａの股間連結部材用ネジ止め部２８の外径を摺接状に嵌め込むことのできる穴径とする。
また、本実施形態では、各上脚本体２５ａ，２５ｂの上端側は、上記上脚側連結片３２ｃの円板形状と同一円弧状に形成すると共に、上脚本体２５ａ，２５ｂを一体的に組み合わせた時に、該上脚側連結片３２ｃの円板形状に合致する切り欠き２５ｃ，２５ｃを夫々設けている。上脚側連結片３２ｃは、上脚本体２５ａ，２５ｂの切り欠き２５ｃ，２５ｃ間に挟まれた時に、該切り欠き２５ｃ，２５ｃ間で上脚上端中心に位置する。
【００１７】
嵌合連結部材３３は、一方の上脚本体２５ａ内に一体的に取付けて内装されると共に、他方の上脚本体２５ｂを着脱可能に嵌合連結する。
嵌合連結部材３３は、上脚本体２５ａ内に内装固定される板状部３３ａの一端に下脚３０と連結される第一連結部３３ｄを備えると共に、他端には上記股間連結部材３２の上脚側連結片３２ｃとネジ止め連結される第二連結部３３ｅを備えてなる。
上記板状部３３ａは、上脚本体２５ａ内に内装可能な幅・長さの所望板形状に形成し、板長さ方向に複数個のネジ穴３３ｂ，３３ｂを設けると共に、該夫々のネジ穴３３ｂ上端には、該ネジ穴３３ｂと穴中心軸方向に連通する貫通穴３３ｃ′を有した嵌合突起３３ｃを設けている。
第一連結部３３ｄは、下脚３０の上端に備えた連結部３０ａを、任意方向に回動作動可能かつ着脱可能に嵌合する嵌合部３３ｄ′を備えてなり、本実施形態によれば嵌合部３３ｄ′は、下脚３０上端の連結部３０ａをきつく嵌合可能な内径とした嵌合穴とする。
なお、下脚３０は、上述したように第一連結部３３ｄに嵌合可能な連結部を有しているものであれば特にその構造に限定されるものではなく本発明の範囲内で任意形状が選択可能である。
第二連結部３３ｅは、上記板状部３３ａの上端からフランジ板状に延設されると共に、その先端側に挿通穴３３ｆを設けてなる。フランジ板状の形状は特に限定されず任意であり、挿通穴３３ｆは、上脚本体２５ａの股間連結部材用ネジ止め部２８の外径を摺接状に嵌め込むことのできる穴径とする。すなわち、第二連結部３３ｅは、本実施形態では、股間連結部材３２の上脚側連結片３２ｃの摺接面（上面）３２ｃ′よりも小さく形成されているが、該摺接面（上面）３２ｃ′と同等の大きさとしてもよい。
そして、この第二連結部３３ｅは、上記股間連結部材３２の上脚側連結片３２ｃと共に一方の上脚本体２５ａ内面に備えた股間連結部材用ネジ止め部２８を介してネジ止め連結されることで肌表面に露出しない渋み調整部３９を構成している。
【００１８】
また、本実施形態では、嵌合連結部材３３に次のような特有効性を採用している。
すなわち、この嵌合連結部材３３は、板状部３３ａと、第一連結部３３ｄと、第二連結部３３ｅを一体成形してなる。
そして、第二連結部３３ｅの基端３３ｇから、段差を設けて一段下がった位置に板状部３３ａを一体的に延設すると共に、該板状部３３ａの他端が、第一連結部３３ｄの筒円中心３３ｄ″若しくはその近傍に連結した構成としている。詳しくは、股間連結部材３２の上脚側連結片３２ｃ上に第二連結部３３ｅを重ねて配置した時に、板状部３３ａが、上脚側連結片３２ｃと同一レベル位置に来るように設定される。
この技術的構成を採用する背景を説明する。
第二連結部３３ｅは、股間連結部材３２における上脚側連結片３２ｃの上面３２ｃ′上に摺接状に置かれる。
この時、上述した通り上脚側連結片３２ｃは、その組み込み時には上脚本体２５ａ，２５ｂ間の中心に配されるため、第二連結部３３ｅは必然的に上脚本体２５ａ，２５ｂ間中心よりも、上脚本体２５ｂ寄りに位置する。
ここで、第二連結部３３ｅの基端３３ｇから同一延長線上に板状部３３ａを一体的に延設することも可能である。
しかし、このように構成すると、板状部３３ａが、上脚本体２５ｂ寄りに位置することとなる。
このような構成となると、板状部３３ａと上脚本体２５ｂとの間のすきまが狭くなり、嵌合凹部２９と嵌合突起３３ｃとの嵌合深さが不十分となる。
これでは、嵌合が弱くなる虞があり、この点を解消するには上記すきまを広くして嵌合突起高さと嵌合凹部深さを十分にする必要があるが、このようにすきまを広くするということは上脚そのものを太くしなければならない。
上脚を太くするということは、女性の美しい脚線美を求める需要者にとっては大きな問題で、商品価値の低下となる。
また、第二連結部３３ｅと板状部３３ａを上述通り面一に延設したとすると、該板状部３３ａの他端側と、第一連結部３３ｄとの連結部位が、筒状に形成されている第一連結部３３ｄの筒円中心３３ｄ″より上方となる。
第一連結部３３ｄは、上脚の下端開口部２５ｄと同心円状に嵌合部３３ｄ′が位置（図４において中心軸を符号Ｌで示す。）していなければならないため、その配設位置は常に一定である。
そのため、板状部３３ａが上脚本体２５ｂ寄りに配されると、必然的に第一連結部３３ｄと板状部３３ａとの連結部位は、筒円中心３３ｄ″より上方となる。この第一連結部３３ｄは、下脚屈曲・回転作動時にかなりの力が掛かる。
よって、板状部３３ａとの連結部位が筒円中心３３ｄ″より上方では、このような力に耐え得るのが難しい。
そこで、上述した通り、第二連結部３３ｅの基端３３ｇから、段差を設けて一段下がった位置に板状部３３ａを一体的に延設した構成とすることで、板状部３３ａを上脚幅方向中心に位置させることができるため、上脚そのものを太くすることなく嵌合突起高さ・嵌合凹部深さを十分に確保することができる。
また、板状部３３ａを上脚幅方向中心に位置させることができるため、第一連結部３３ｄの筒円中心３３ｄ″又はその近傍に板状部３３ａを連結することができる。
【００１９】
渋み調整部３９は、このように上脚本体２５ａ内面の股間連結部材用ネジ止め部２８と、股間連結部材３２の上脚側連結片３２ｃと、嵌合連結部材３３の第二連結部３３ｅと、ネジ３５によって構成されている。
すなわち、股間連結部材用ネジ止め部２８の外径に、夫々の挿通穴３２ｄ，３３ｆを介して上脚側連結片３２ｃ、続いて第二連結部３３ｅを順次嵌め込み連結すると共に、その上方から固着部材、本実施形態ではネジ３５を締め込んでいく。このネジ３５の締込み具合によって、上脚側連結片３２ｃの両摺接面（上面３２ｃ′，下面３２ｃ″）が、下位の上脚本体２５ａの切り欠き２５ｃの周縁面２５ｃ′と、上位の第二連結部３３ｅの摺接面（下面）３３ｅ″により密着度合いが調整される。これにより、上脚側連結片３２ｃが回動する時、その各摺接箇所に摩擦が生じ、この摩擦を調整することで渋みが調整可能となる。また、この渋み調整部３９は、上述の構成を採用したことにより、脚部２４の外表面（肌表面）２４ａに露出することがなく、本発明の目的とするところの肌表面のリアルさを追求し得る。
【００２０】
また、足部３１は、下脚３０と着脱可能であっても一体的に備えられているもので有ってもよく、いずれも本発明の範囲内で任意にその形状・構造が選択できる。
【００２１】
従って、本発明の上脚構造の組み立て工程の一例を説明する。
まず、股間連結部材３２の上脚側連結片３２ｃの挿通穴３２ｄに、一方の上脚本体２５ａの上端側に突設されている股間連結部材用ネジ止め部２８の外径を嵌挿して、係止片３２ａが上脚本体２５ａの上端に突状に位置するように股間連結部材３２を回動可能に備える。
この時、股間連結部材３２の上脚側連結片３２ｃの摺接面（下面）３２ｃ″は、上脚本体２５ａの切り欠き周縁面２５ｃ′に接している。
そして、次に、第一の板状部固定用ネジ止め部２６と第二の板状部固定用ネジ止め部２７に、嵌合連結部材３３の各ネジ穴３３ｂ，３３ｂを合わせると共に、ネジ穴上方の嵌合突起３３ｃ，３３ｃの貫通穴３３ｃ′，３３ｃ′を介してネジ３４，３４を締め付ける。
この時、嵌合連結部材３３の第二連結部３３ｅは、その挿通穴３３ｆに、上記上脚側連結片３２ｃ上に突出している股間連結部材用ネジ止め部２８の外径を嵌挿させると共に、摺接面（下面）３３ｅ″が上脚側連結片３２ｃの摺接面（上面）３２ｃ′に接している。
そして、股間連結部材用ネジ止め部２８にネジ３５を締め付けて股間連結部材３２を上脚本体２５ａの切り欠き周縁面２５ｃ′と第二連結部３３ｅの摺接面３３ｅ′によって挟み込むように密着させて連結する。
このネジ３５の締め付け程度によって、股間連結部材３２の渋みを強弱調整する。
そして、次に他方の上脚本体２５ｂの嵌合凹部２９と、嵌合連結部材３３の嵌合突起３３ｃとを嵌め合わせることにより、一方の上脚本体２５ａと他方の上脚本体２５ｂが一体化されて上脚２５が形成される。
そして、その後、上脚２５の下端側に位置する第一連結部３３ｄに、下脚３０を連結する。
このように上脚２５が形成されることにより、脚部２４の外表面（肌表面）２４ａには、従来のようなネジやネジ穴がなく、人間のような肌感のリアルさが得られる。また、上脚本体２５ａ，２５ｂ同士も自由に分離可能で、従来のように接着や溶着により分離不能となっているものではないため、必要に応じて分解できる。
【００２２】
次に、上記脚部２４を連結する腰部１の構造について図面を参照して説明する。
腰部１は、上胴部連結空間３と左右の脚部連結空間４，４とを備えて人間の腰部外表面を忠実に表現すべく従来のような二つ割構成ではなく一体成形され、左右の脚部２４，２４の付け根位置における股間連結部材３２の係止片３２ａ，３２ａを着脱・回動可能に連結する脚部連結構造５と、上胴部２２を着脱可能に連結する上胴部連結構造１９を有している。
このように一体成形されるため、腰部１には従来のような合わせ面に生じていた線（図１６に示すような接合線４００）がなく、また臀部１ａにはネジ穴（図１７に示すようなネジ穴５０２）などもなく、より人間の腰部外表面（肌面）を忠実に表現し得る。
上記上胴部連結空間３と左右の脚部連結空間４，４とは夫々連通状に形成されている。
腰部１全体の大きさ、形状など任意で、また外表面の形状、例えば臀部１ａ・下腹部１ｂの膨らみ等、股１ｃの切れ込み程度等も任意で、特に図示形状に限定解釈されるものではなく、本発明の範囲内で任意に設計変更可能である。
【００２３】
脚部連結構造５は、一体成形された腰部本体１の股間部６内面に設けた下側係止部７と、該下側係止部７と合致して左右の脚部２４，２４の各係止片３２ａ，３２ａを回動可能に係止保持する上側係止部１２を有する着脱可能な押え部材１０とからなり、該下側係止部７と上側係止部１２とによって、左右の脚部２４，２４の付け根位置を着脱可能、かつ回動可能に連結保持する構造である。
【００２４】
腰部本体２に設けられる下側係止部７は、左右の脚部連結空間４，４の間に位置している股間部６の内面に、左右脚部２４，２４の両係止片３２ａ，３２ａを相対向して内装可能な単一の凹部８を設けると共に、該凹部８と連通状に股間部６の内面両端縁に設けた半円状の左右係止溝９，９にて構成されている。
【００２５】
押え部材１０は、押え部材本体１１の下面に上側係止部１２を備えると共に、該本体１１の上面に上胴部分連結構造１９を備えている。
押え部材本体１１は、例えば腰部本体２の股間部６内面幅と同幅の略直方体状に形成され、その下面略中央に上側係止部１２を設けると共に、該上側係止部１２の同一軸上の上面略中央に上胴部連結構造１９を立設する。
押え部材１０に設けられる上側係止部１２は、腰部本体２に設けた下側係止部７の凹部８と同一形状の凹部１３を有し、該凹部１３は下側係止部７上に合わせた際に、下側係止部７の凹部８と共に短尺筒状の係止片内装空間１５を形成する。そして上側係止部１２は、下側係止部７の左右係止溝９，９と同一形状の半円状の左右係止溝１４，１４を、該凹部１３と連通状に本体１１の下面両端縁に設けて構成されている。
【００２６】
そして、上述のように構成された押え部材１０は、腰部本体２の股間部６内面上に上方から被せて、該股間部６内面上にネジ止め固着する。図中１６はネジ、１７は押え部材本体２側のネジ穴、１８は股間部６内面側のネジ穴を夫々示す。なお、固着構成は一例として上述したネジ止め構成に限らず、着脱可能な周知固着構成が適宜採用可能である。
【００２７】
上記下側係止部７と上側係止部１２は、本実施形態に限定解釈されるものではなく、本発明の範囲内で適宜設計変更可能である。すなわち、係止片内装空間１５・係止溝９，１４などの構成は本発明の範囲内で他の構成に変更可能である。また、下側係止部７の凹部８と上側係止部１２の凹部１３は、夫々左脚部係止片用凹部と右脚部係止片用凹部とを別個独立して凹設するものとしてもよい。
また、押え部材１０の全体形状も特に限定されず設計変更可能である。
【００２８】
上胴部連結構造１９は、上述した押え部材１０の上面が兼ねている。すなわち、押え部材本体１１の上面略中心に立設した連結部２０を介して上胴部２２を連結している。
連結部２０は、例えば本実施形態の如く、上面を開放し、差込み穴２１を備えた円筒状に構成され、例えば上胴部２２の下部内面にすべり作動可能に配設されているボールジョイント２３の円柱状棹部２３ａを、上記差込み穴２１に着脱自在に差込み連結する。
なお、本実施形態では、上胴部２２と腰部１との継手部分にボールジョイント２３を使用しているため、上記連結部２０の差込み穴２１を断面角穴状とした場合には、この棹部２３ａ外形も角柱状にすることが可能で、上胴部２２と腰部分１とが着脱自在な継手構造を有していれば、棹部２３ａと差込み穴２１との関係は任意に設計変更可能である。但し、容易に抜け落ちないように嵌合されているものとする。
【００２９】
従って、本実施形態における腰部１に左右の脚部２４，２４と上胴部２２を組み立て一体化する場合、まず、左右の脚部２４，２４は、各付け根部の股間連結部材３２，３２に備えられている各係止片３２ａ，３２ａを、夫々腰部本体２の股間部６内面に設けられた係止溝９，９を介して下側凹部８内に各係止片３２ａ，３２ａの下側半分を係止保持させる。
そして次に、押え部材１０を、上胴部連結空間１９の方向（上方向）から股間部６内面上に被せて上側凹部１３内に上記係止片３２ａ，３２ａの上側半分を内装すると共に、係止溝１４，１４を上記係止溝９，９と合致させる。
次に、ネジ１６を押え部材１０の上方から締め付けて、該押え部材１０を股間部６内面上に固着する。これにより、左右の脚部２４，２４は、係止片３２ａ，３２ａが係止片内装空間１５で回動可能に連結保持される。
そして次に、上述の通り固着された押え部材１０の連結部２０の差込み穴２１に、上胴部２２の下部内面に配設されているボールジョイント２３の棹部２３ａを差込み連結する。これにより、上胴部２２の下側は、腰部１の内方に挿入された状態で腰部１に連結されるため、外観上上胴部２２と腰部１とが分離せず一体感を醸し出す。
【００３０】
また、分解する場合には、まず、腰部１の連結部２０の差込み穴２１から、上胴部２２の棹部２３ａを単に引き抜くだけで良い。これにより、上胴部２２が腰部１から簡単に分解される。
次に、上胴部２２を分解した腰部１の上胴部連結空間３には、押え部材１０が現れ、そのネジ１６が直視できるため、該押え部材１０を腰部１の股間部６内面に固着している該ネジ１６を外すことができる。このネジ１６を外すことにより、押え部材１０は上方に外すことができる。これにより、股間部６の内面にある下側係止部７に内装係止されていた左右脚部２４，２４の係止片３２ａ，３２ａを外すことができる。
従って、このように簡単に分解組み立てができるため、他のパーツ（他の上胴部や他の脚部）への組み替え、あるいは洋服などの着せ替え・装備などの取付けなども容易に可能である。
【００３１】
このように、本実施形態によれば、腰部本体２を一体成形し、従来のような上胴部連結空間内に位置していたネジ止め構成部分（図１７に示す符号５００部分）が存在しないため、そして、押え部材１０の上面に立設した連結部２０を介して上胴部２２下部のボールジョイント２３の棹部２３ａを、着脱自在に差込み連結する構成としたため、上胴部連結空間３が広く確保できる。
すなわち、上胴部連結空間３が広く確保できるということは、腰部１の上胴部連結空間３内に上胴部２２下側が挿入された状態で連結される人形において、該上胴部２２がその空間３内で自由に動き得るスペースが広く取れ、上胴部２２と腰部１との境目の折曲・回動作動がスムーズかつ自由度が広がる。
【００３２】
【発明の効果】
本発明は、上述の通りの構造としたため、二つ割される前後の上脚本体を使用するフィギュアにおいても、可能な限り人間の肌表面と近い肌感を提供できる。すなわち、このような二つ割される脚部を使用するフィギュアであっても、その脚部の肌表面から人間の肌表面には決して存し得ないネジおよびネジ穴を可能な限り無くすことができ、需要者のニーズに十分対応することができる。
本発明によれば、水着を着用させたり、衣裳を着替えさせたりして肌を露出させることが多い女性を模写したフィギュアにおいて、肌表面のリアルさを向上してフィギュア全体の美観を向上することができるため特に効果的である。
また、上脚本体は二つ割されているものであるが、両者を内部構造により着脱可能に嵌合連結するものであり、従来のように接着若しくは溶着するものではないため、内部構造の交換・補修が容易に需要者レベルで行ない得る。
すなわち、フィギュアに色々なポーズを求めて無理な動作をさせることにより、例えば、股間部位にて脚部に無理な動作をさせた結果、股間連結部材が外れたり、または折れて破損したりする事態が生じ得る。このような場合、前後の上脚本体の嵌合連結状態を解除すれば、内部の股間連結部材などを簡単に交換・補修することができる。
さらに、本発明によれば、股間連結部材の渋み調整部を、上脚上端の股間連結部材連結部位に設けたため、渋みの調整が自由に行なえる。また、この渋み調整部は、上脚本体内に備え、肌表面には何等露出していないため、肌感のリアルさを追求することができる。
従って、フィギュアを起立させることが瞬時に成し得、また特に中腰状態をフィギュアに望むことも、この渋み調整をおこなうことで可能となるため、面白味が倍増し、商品価値の向上にもなる。
【００３３】
また、上述の通りの構造としたため、腰部を一体成形した人形で、回動可能な左右の脚部と回動可能な上胴部を分解・組み立て自在なものとして提供し得る。このような構造を採用したことにより、人形の腰部には、今までのように合わせ面（例えば、腰部分両側面）に生じていた接合線が全くなく、また腰部および左右の脚部にはネジ止め用に設けられていた穴もなくなる。従って、特にフィギュアと称される人間に近い外観形態を有する人形において、このような接合線やネジ穴が外観に現れないことにより、よりリアルかつ美的な外観を有したフィギュアが提供でき、需要者のニーズに十分対応できる。特に女性を模写したフィギュアとして需要者ニーズに応えることができる。
【００３４】
また、従来技術のように前後に分割された腰部分片同士をネジ止めする構造ではないことから、腰部の上胴部連結空間内には従来技術のようにネジ止め構造部分が全くない。従って、腰部の上胴部連結空間内に上胴部下側が挿入された状態で連結される人形において、該上胴部がその空間内で自由に動き得るスペースが広く取れ、上胴部と腰部との境目の折曲・回動作動がスムーズかつ自由度が広がる。
さらに、本発明によれば、上胴部と腰部および左右の脚部とが簡単に分解することが可能なため、人形購入者（需要者）が、上胴部や脚部などの各部分（パーツともいう）を別の形態のパーツに適宜組み替えたり、また洋服や装備など（コスチューム等ともいう）を着せ替えたり・付け替えたりする場合に、従来の人形と比した場合、容易かつ能率良く上述の作業が成し得る。
特に、フィギュアなどの場合、その性質上、コスチュームなどの装着が必要となるため、本発明の構造を有するものであれば、需要者などは容易にその装着作業などができ面白味が増大し、付加価値の高い人形の提供ができる。
【図面の簡単な説明】
【図１】本発明人形（頭部は省略した）の一実施形態を示す全体正面図。
【図２】分解正面図。
【図３】一方の上脚本体を外すと共に、他方の上脚本体の一部を切り欠いた上脚の一実施形態を示す斜視図。
【図４】一方の上脚本体を外した状態の平面図。
【図５】（ａ）は図４のＡ−Ａ線断面図、（ｂ）は図４のＢ−Ｂ線断面図。
【図６】嵌合連結部材の一実施形態を示す斜視図。
【図７】本発明人形の腰部構造を採用した一実施形態における分解斜視図。
【図８】腰部の正面図。
【図９】腰部の背面図。
【図１０】腰部の平面図。
【図１１】腰部の底面図。
【図１２】腰部の左側面図。
【図１３】図８のＣ−Ｃ線断面図。
【図１４】図１０のＤ−Ｄ線断面図。
【図１５】従来技術の一実施形態を部分的に示した背面図。
【図１６】従来技術の一実施形態を示す腰部分側面図。
【図１７】従来技術の一実施形態を示す腰部分の横断平面図。
【符号の説明】
１：腰部
３：上胴部連結空間
４：脚部連結空間
５：脚部連結構造
６：股間部
７：下側係止部
８：凹部
９：係止溝
１０：押え部材
１２：上側係止部
１３：凹部
１４：係止溝
１９：上胴部連結構造
２０：連結部
２２：上胴部
２３：ボールジョイント
２４：脚部
２５：上脚
２５ａ，２５ｂ：上脚本体
２６：第一の板状部固定用ネジ止め部
２７：第二の板状部固定用ネジ止め部
２８：股間連結部材用ネジ止め部
２９：嵌合凹部
３２：股間連結部材
３２ａ：係止片
３２ｃ：上脚側連結片
３２ｄ：挿通穴
３３：嵌合連結部材
３３ａ：板状部
３３ｂ：ネジ穴
３３ｃ：嵌合突起
３３ｄ：第一連結部
３３ｅ：第二連結部
３９：渋み調整部
【図１】
0003609797.tif 000002
【図２】
0003609797.tif 000003
【図３】
0003609797.tif 000004
【図４】
0003609797.tif 000005
【図５】
0003609797.tif 000006
【図６】
0003609797.tif 000007
【図７】
0003609797.tif 000008
【図８】
0003609797.tif 000009
【図９】
0003609797.tif 000010
【図１０】
0003609797.tif 000011
【図１１】
0003609797.tif 000012
【図１２】
0003609797.tif 000013
【図１３】
0003609797.tif 000014
【図１４】
0003609797.tif 000015
【図１５】
0003609797.tif 000016
【図１６】
0003609797.tif 000017
【図１７】
0003609797.tif 000018